【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
空調空間から排気された悪臭成分及び／又は汚染物質を含む排気を浄化するシステムであって，
排気中の悪臭成分及び／又は汚染物質を物質移動により洗浄水中に吸収させる排気浄化手段と，前記物質移動により汚染された洗浄水を浄化再生させる洗浄水浄化再生手段と，排気浄化手段で浄化された後の排気を空調空間に供給される取り入れ外気と熱交換させることが可能な熱回収手段を備えることを特徴とする，排気浄化システム。
【請求項２】
前記排気浄化手段は，親水性素材で構成されるエリミネータ又は気液接触用の充填材を備えることを特徴とする，請求項１の排気浄化システム。
【請求項３】
取り入れ外気を熱交換させないで空調空間に供給する外気直経路及び／又は空調空間からの排気を熱交換させないで排気させる排気直経路と，取り入れ外気を熱回収手段に導入させる外気分岐経路と，排気を熱回収手段に導入させる排気分岐経路と，外気直経路と外気分岐経路を流れる取り入れ外気の流量及び／又は排気直経路と排気分岐経路を流れる排気の流量を，排気温度と外気温度の両方，もしくは外気温度に基づいて制御する制御手段を備えることを特徴とする，請求項１又は２の排気浄化システム。
【請求項４】
前記洗浄水浄化再生手段は，生物分解による分解処理，分離膜による分離処理，物理吸着による吸着処理の少なくともいずれか一つの処理によって洗浄水から汚染物質を除去するものであることを特徴とする，請求項１，２又は３のいずれかの排気浄化システム。
【請求項５】
前記洗浄水浄化再生手段は，洗浄水のｐＨを調整するものであることを特徴とする，請求項１，２，３又は４のいずれかの排気浄化システム。
【請求項６】
前記洗浄水浄化再生手段は，洗浄水にオゾンガスを注入することによって，汚泥及び／又は有害細菌の発生を防止するものであることを特徴とする，請求項１，２，３，４又は５のいずれかの排気浄化システム。
【請求項７】
前記洗浄水浄化再生手段は，洗浄水に紫外線を照射することによって，有害細菌の発生を防止するものであることを特徴とする，請求項１，２，３，４，５又は６のいずれかの排気浄化システム。
【請求項８】
空調空間から排気された悪臭成分及び／又は汚染物質を含む排気を浄化するシステムであって，
排気中の悪臭成分及び／又は汚染物質を物質移動により洗浄水中に吸収させる排気浄化手段と，排気浄化手段で浄化された後の排気を空調空間に供給される取り入れ外気と熱交換させることが可能な熱回収手段を備えることを特徴とする，排気浄化システム。
【請求項９】
流下した洗浄水を受け取るドレイン容器を備え，ドレイン容器内の洗浄水は，排気浄化手段のノズルに循環供給されることを特徴とする，請求項１〜８のいずれかの排気浄化システム。
【請求項１０】
ドレイン容器内の洗浄水を，排気浄化手段のノズルに循環供給させるポンプを備えることを特徴とする，請求項９の排気浄化システム。
【手続補正２】
【補正対象書類名】明細書
【補正対象項目名】０００８
【補正方法】変更
【補正の内容】
【０００８】
【課題を解決するための手段】
この目的を達成するために，本発明にあっては，空調空間から排気された悪臭成分及び／又は汚染物質を含む排気を浄化するシステムであって，排気中の悪臭成分及び／又は汚染物質を物質移動により洗浄水中に吸収させる排気浄化手段と，前記物質移動により汚染された洗浄水を浄化再生させる洗浄水浄化再生手段と，排気浄化手段で浄化された後の排気を空調空間に供給される取り入れ外気と熱交換させることが可能な熱回収手段を備えることを特徴としている。
【手続補正３】
【補正対象書類名】明細書
【補正対象項目名】０００９
【補正方法】変更
【補正の内容】
【０００９】
この排気浄化システムにおいて，前記排気浄化手段は，親水性素材で構成されるエリミネータ又は気液接触用の充填材を備えていることが好ましい。
【手続補正４】
【補正対象書類名】明細書
【補正対象項目名】００１０
【補正方法】変更
【補正の内容】
【００１０】
また，取り入れ外気を熱交換させないで空調空間に供給する外気直経路及び／又は空調空間からの排気を熱交換させないで排気させる排気直経路と，取り入れ外気を熱回収手段に導入させる外気分岐経路と，排気を熱回収手段に導入させる排気分岐経路と，外気直経路と外気分岐経路を流れる取り入れ外気の流量及び／又は排気直経路と排気分岐経路を流れる排気の流量を，排気温度と外気温度の両方，もしくは外気温度に基づいて制御する制御手段を備えていても良い。
【手続補正５】
【補正対象書類名】明細書
【補正対象項目名】００１１
【補正方法】変更
【補正の内容】
【００１１】
また，前記洗浄水浄化再生手段は，生物分解による分解処理，分離膜による分離処理，物理吸着による吸着処理の少なくともいずれか一つの処理によって洗浄水から汚染物質を除去するものであっても良い。
【手続補正６】
【補正対象書類名】明細書
【補正対象項目名】００１２
【補正方法】変更
【補正の内容】
【００１２】
また前記洗浄水浄化再生手段は，洗浄水のｐＨ値が変動するような場合は，洗浄水のｐＨを調整するものであっても良いし，また洗浄水にオゾンガスを注入することによって，汚泥及び／又は有害細菌の発生を防止するものであっても良いし，更に請求項７に記載したように洗浄水に紫外線を照射することによって，有害細菌の発生を防止するものであっても良い。
また，空調空間から排気された悪臭成分及び／又は汚染物質を含む排気を浄化するシステムであって，排気中の悪臭成分及び／又は汚染物質を物質移動により洗浄水中に吸収させる排気浄化手段と，排気浄化手段で浄化された後の排気を空調空間に供給される取り入れ外気と熱交換させることが可能な熱回収手段を備えることを特徴とする，排気浄化システムが提供される。
流下した洗浄水を受け取るドレイン容器を備え，ドレイン容器内の洗浄水は，排気浄化手段のノズルに循環供給されるものでも良い。また，ドレイン容器内の洗浄水を，排気浄化手段のノズルに循環供給させるポンプを備えていても良い。
【手続補正７】
【補正対象書類名】明細書
【補正対象項目名】００１３
【補正方法】変更
【補正の内容】
【００１３】
本発明の排気浄化システムにおいて，空調空間とは例えば厨房施設や便所などを含む建物，施設内の空間である。排気中には厨房施設で生じる油ミストなどの汚染物質や厨房設備及び便所などで発生するアンモニアや硫化水素などといった悪臭成分が含まれている。また洗浄水には，例えば市水や中水，雨水などが利用され，純水を洗浄水に利用することも可能である。物質移動とは，空調空間から排気された悪臭成分や汚染物質を，例えば気液接触により洗浄水中に吸収させる手段が例示される。熱回収手段としては，例えば全熱交換器や顕熱交換器が例示される。また，外気直経路，外気分岐経路，排気直経路，排気分岐経路は，例えばダクトなどで構成される。そのようなダクトにファンや開閉ダンパなどを適宜設けて，それらファンの稼働や開閉ダンパの開閉を制御することにより，外気直経路と外気分岐経路を流れる外気の流量と排気直経路と排気分岐経路を流れる排気の流量を適宜調整できるようになる。なお，排気直経路と外気分岐経路と排気分岐経路だけを設け，外気直経路を省略しても良い。その場合は，取り入れ外気は常に外気分岐経路を流れて熱回収手段に導入されることとなり，制御手段は，排気温度と外気温度の両方，もしくは外気温度に基づいて，排気直経路と排気分岐経路を流れる排気の流量を制御することとなる。そして，制御手段の制御によって排気分岐経路を経て熱回収手段に導入された排気のみが取り入れ外気と熱交換することとなる。また一方，外気直経路と外気分岐経路と排気分岐経路だけを設け，排気直経路を省略しても良い。その場合は，排気は常に排気分岐経路を流れて熱回収手段に導入されることとなり，制御手段は，排気温度と外気温度の両方，もしくは外気温度に基づいて，外気直経路と外気分岐経路を流れる取り入れ外気の流量を制御することとなる。そして，制御手段の制御によって外気分岐経路を経て熱回収手段に導入された取り入れ外気のみが排気と熱交換することとなる。
【手続補正８】
【補正対象書類名】明細書
【補正対象項目名】００１４
【補正方法】変更
【補正の内容】
【００１４】
これらの排気浄化システムにあっては，排気浄化手段にて排気と洗浄水を気液接触等させることにより，排気中に含まれている汚染物質や悪臭成分を物質移動により洗浄水中に吸収させ，排気中から汚染物質や悪臭成分を除去する。この場合，例えばアンモニアや硫化水素などといった悪臭成分は，排気に対して噴霧された洗浄水との気液接触などにより洗浄水中に溶解して排気中から除去されることとなる。一方，油ミストなどの汚染物質の主は，例えば親水性素材で構成されるエリミネータや気液接触用の充填材などを用いることにより，洗浄水中に捕捉されて排気中から除去される。なお油ミストなどの汚染物質の一部は，排気に対して噴霧された洗浄水との気液接触などにより除去される場合もある。
【手続補正９】
【補正対象書類名】明細書
【補正対象項目名】００１６
【補正方法】変更
【補正の内容】
【００１６】
前述のように，排気浄化手段にて排気と気液接触などしたことによって排気中に含まれていた油ミストなどの汚染物質やアンモニアや硫化水素などといった悪臭成分を物質移動により吸収した洗浄水は，例えば，洗浄水浄化再生手段に回収される。そして，洗浄水浄化再生手段において，洗浄水は浄化再生され，再生された洗浄水は排気浄化手段に送られて，再び排気と気液接触などさせられ，排気中から汚染物質や悪臭成分を物質移動させて吸収除去することになる。
【手続補正１０】
【補正対象書類名】明細書
【補正対象項目名】００２０
【補正方法】変更
【補正の内容】
【００２０】
このように，洗浄水浄化再生手段において洗浄水を浄化再生して排気浄化手段に再び送り，洗浄水の循環再利用をはかることにより，洗浄水の使用量（補給水量）を大幅に削減でき，また排気から熱回収を行うことによって，空調に必要な熱エネルギも低減できるようになる。
【手続補正１１】
【補正対象書類名】明細書
【補正対象項目名】００５６
【補正方法】変更
【補正の内容】
【００５６】
【発明の効果】
本発明によれば，排気から熱回収して外気を予め冷却及び加熱することにより，熱エネルギが削減され，洗浄液のミスト漏出も防止できるため，熱交換の際に熱交換手段を汚染する心配がなく，また空調空間に供給される外気に悪臭が移る心配もない。洗浄水は浄化再生して再利用すれば，洗浄水の使用量（補給水量）を大幅に削減でき，ランニングコストを低減でき，広い設置スペースなども不要となって省スペースかがはかれる。また不要な産廃も削減できる。